(57)【要約】　　　（修正有）【課題】ドライブ装置の小型化が図れる記録テープカートリッジを提供する。【解決手段】記録テープＴが巻装された単一のリール１４を回転可能に収容する略矩形状のケース１２と、ケース１２のドライブ装置への装填側角部を切り欠いて形成され、記録テープＴの端部に取り付けられたリーダー部材２２を引き出すための開口と、ケース１２の内面に設けられ、折曲したガイド溝４２と、ガイド溝４２に沿ってガイドされるとともに、ヒンジ５３で連結された複数の板片からなり、スライドして開口を開閉する遮蔽部材５０、５１と、を備えた記録テープカートリッジ１０とする。【選択図】　　　図２
2004039103.tif 000002
【特許請求の範囲】
【請求項１】
記録テープが巻装された単一のリールを回転可能に収容する略矩形状のケースと、
前記ケースのドライブ装置への装填側角部を切り欠いて形成され、前記記録テープの端部に取り付けられたリーダー部材を引き出すための開口と、
前記ケースの内面に設けられ、折曲したガイド溝と、
前記ガイド溝に沿ってガイドされるとともに、ヒンジで連結された複数の板片からなり、スライドして前記開口を開閉する遮蔽部材と、
を備えたことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、保存時の収容スペースが小さくて済むとともに大容量の情報を記録でき、図６乃至図８で示すように、リーダー部材のタイプ毎に、開口位置及びその開口を開閉するドアのタイプが異なっている。すなわち、リーダーピン６０の場合には、図６で示すように、ドライブ装置への装填方向（矢印Ｐ方向）と平行なケース６２の側壁６４に開口６８が形成されており、その装填方向と同方向にスライド移動するドア６６によって、その開口６８が開閉されるようになっている。
【０００５】
しかしながら、このようにケース６２の側壁６４に開口６８が設けられていると、ドライブ装置側の引出手段は、ケース６２の左右横方向から回り込んでリーダーピン６０を引き出さなければならないため、その引出手段が回り込むスペースをドライブ装置側に確保しなければならず、かつ引出手段を回り込ませる機構が複雑になって、ドライブ装置が大型化してしまう不具合がある。しかも、磁気テープＴの引出経路が長くなるという問題もある。
【０００６】
また、リーダーテープ７０の場合には、図７で示すように、ドライブ装置への装填方向（矢印Ｐ方向）と直交するケース７２の前壁７４に開口７８が形成され、この開口７８を開閉するドア７６はケース７２の角部近傍に支持された支軸７５を中心として前方に回動する回動式となっている。しかしながら、このようにケース７２の前壁７４に開口７８が設けられていると、ドライブ装置側の引出手段が回り込む必要はなくなるが、ドア７６が大きく前方に開くため、ドライブ装置側には、開口７８を開放したときのドア７６に干渉するものがないようにするスペースを確保しなければならず、ドライブ装置が大型化してしまう不具合がある。
【０００７】
更に、リーダーブロック８０の場合には、図８で示すように、ドライブ装置への装填方向前側の角部８４を斜めに切り欠いて開口８８が形成され、この開口８８をリーダーブロック８０によって直接開閉するようになっている。しかしながら、このようにリーダーブロック８０が開口８８を開閉するようになっていると、そのリーダーブロック８０に傷や汚れが生じやすくなる問題がある。つまり、リーダーブロック８０はドライブ装置側のリールハブ８６に嵌合されてそのリールハブ８６の一部を構成するため、通常ドアとして使用している分には問題のない傷や汚れでも、リールハブ８６と嵌合し難くなったり、磁気テープＴの走行に不具合をもたらすおそれがある。
【０００８】
また、このリーダーブロック８０は開口８８縁部に係止されているだけなので、磁気テープカートリッジを落下させたりすると、簡単に外れてしまうという問題があり、かつリーダーブロック８０はリーダーピン６０と比較してサイズが大きいので、ケースの形状に制約が多くなるという問題もある。そのため、ドアを兼用するリーダーブロック８０よりも、ドアと機能分離されたリーダーピン６０の方が優位性はある。
【０００９】
【発明が解決しようとする課題】
そこで、本発明は、開口を開閉するドアと記録テープ引出用のリーダー部材とを別部材とし、記録テープの引出経路が最短になる開口と、少ないスペースでその開口を開閉できるスライド式のドアとを備えて、ドライブ装置の小型化が図れるようにした記録テープカートリッジを得ることを目的とするものである。
【００１０】
【課題を解決するための手段】
上記の目的を達成するために、本発明に係る請求項１に記載の記録テープカートリッジは、記録テープが巻装された単一のリールを回転可能に収容する略矩形状のケースと、前記ケースのドライブ装置への装填側角部を切り欠いて形成され、前記記録テープの端部に取り付けられたリーダー部材を引き出すための開口と、前記ケースの内面に設けられ、折曲したガイド溝と、前記ガイド溝に沿ってガイドされるとともに、ヒンジで連結された複数の板片からなり、スライドして前記開口を開閉する遮蔽部材と、を備えたことを特徴としている。
【００１１】
このように、ケースのドライブ装置への装填側角部が切り欠かれて開口が設けられていると、その開口の開放面はドライブ装置への装填方向を向くことが可能になるので、ドライブ装置側の引出手段はその前方側から進入することが可能となり、記録テープを引き出す経路を最短にできる。したがって、ドライブ装置には記録テープを回り道させるような複雑な機構が不要となり、コンパクトで製造コストの安価なドライブ装置を設計することができる。しかも、最短経路を通ることにより、テープガイドとの接触による記録テープの摩耗も低減することができる。
【００１２】
また、開口が角部に設けられているため、遮蔽部材はドライブ装置への装填方向に対して斜めにスライドして開口を開閉する必要がある。このため、ガイド溝は、開口に沿った溝とドライブ装置への装填方向に沿った溝とが繋がって折曲した線形となる。しかし、遮蔽部材は、ヒンジで連結された複数の板片で構成されているので、折曲したガイド溝に沿ってスライドすることができ、よって、角部に設けられた開口を開閉できる。
【００１３】
【発明の実施の形態】
以下、本発明の実施の形態に係る記録テープカートリッジ１０を図１乃至図５に基づいて説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１４】
図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部がそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１５】
また、上ケース１６及び下ケース１８の周壁１６Ａ、１８Ａの切り取られた角部が磁気テープＴの引き出し用の開口２０とされ、この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１６】
また、ケース１２の開口２０の内側には、ケース１２内においてリーダーピン２２を位置決め、保持する上下一対のピン保持部２４が設けられている。ピン保持部２４は、図３乃至図５でも示すように、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１７】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下端にそれぞれ係合して、リーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１８】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１９】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２０】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置（複数の記録テープカートリッジ１０を収容し、自動的にドライブ装置に装填・取り出しする装置）での検知が可能となるように、後部内壁１８Ｂが所定角度の傾斜面に形成され、メモリーボードＭが支持突起１９により支持されて、所定角度に傾斜配置されるようになっている。また、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００２１】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述するドア５０の先端部（前端部）がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２２】
一方、ケース１２の右壁１２Ｂ（周壁１６Ａ、１８Ａのうち、外面が矢印Ｂ方向を向く部分）の前端部内側には、開口２０の閉塞時、平面視でドア５０の外面に添う上下一対の傾斜壁部３４が設けられている（図３参照）。そして、この傾斜壁部３４の前端面が開口２０の後縁を規定しており、その前端部には上下一対のビスボス３６が設けられている。
【００２３】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。
【００２４】
また、下ケース１８の後方側の左壁には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の右壁にも形成され、例えばドライブ装置の引き込み手段が係合する係合部とされたり、その底面（下向きの面）がドライブ装置内での位置決め用の基準面とされたりするようになっている。なお、右壁の凹部４８が形成される袋部４９の上面には、後述するコイルばね５６係止用の係止部５８が形成されている。
【００２５】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２６】
また、図３、図４で示すように、上ケース１６及び下ケース１８において、傾斜壁部３０の内側から傾斜壁部３４の後端まで（以下、前半という）と、その傾斜壁部３４の後端から連続して係止部５８（袋部４９）の近傍まで（以下、後半という）、後述するドア５０及びガイドプレート５１の凸部５５、５７と、連結軸５３の上下端部を内面側及び外面側の両側方から挟み込むように支持する所定深さ（例えば、１．０ｍｍ程度）のガイド溝４２が、平面視略「く」字状に折曲して設けられている。そして、開口２０近傍の上ケース１６内面及び下ケース１８内面には、ピン保持部２４からリーダーピン２２を引き出しやすいように、その出入口に対応させた凹部３８が形成されている。
【００２７】
このような上ケース１６と下ケース１８は、開口２０の縁部近傍に位置する各ビスボス３２、３６に下側から図示しないビスがねじ込まれて固定（接合）される構成である。これによって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ズレしたりしない構成である。なお、周壁１６Ａ、１８Ａの付き合せ面（開口２０両側のコーナー部）を溶着によって固定してもよいが、分解性やリサイクル性を考慮すると、ビス止めの方が好ましい。
【００２８】
一方、開口２０は遮蔽部材としてのドア５０によって開閉されるようになっている。そして、このドア５０の後端部には、操作突起５２が突設された操作部材（遮蔽部材）としてのガイドプレート５１の前端部が、ヒンジとしての連結軸５３によって枢止連結されている。すなわち、ドア５０及びガイドプレート５１は、それぞれ所定の大きさの平板状に形成され、ドア５０の後端上・下部と、ガイドプレート５１の前端中央部には、それぞれ円筒軸が設けられている。そして、ドア５０の円筒軸間にガイドプレート５１の円筒軸を配置して、それら円筒軸内に連結軸５３を挿通することにより、ドア５０とガイドプレート５１とが互いに回動自在となるように構成されている。
【００２９】
また、ドア５０の先端部側（前端部側）の上下端面には、それぞれガイド溝４２のガイド面（互いに対向している溝壁内面）と、ガイド溝４２間の上ケース１６内面及び下ケース１８内面に当接して、ドア５０を開口２０の開閉方向に案内する凸部５５が突設されており、ガイドプレート５１の後端部側の上下端面にも、同様にガイドプレート５１を開口２０の開閉方向に案内する凸部５７が突設されている。
【００３０】
また、連結軸５３の上下端部もドア５０及びガイドプレート５１の上下端面より突出し、ガイド溝４２のガイド面（互いに対向している溝壁内面）と、ガイド溝４２間の上ケース１６内面及び下ケース１８内面に当接して、ドア５０及びガイドプレート５１を開口２０の開閉方向に案内するようになっている。したがって、連結軸５３のドア５０及びガイドプレート５１の上下端面から突出している上下端部と、凸部５５、５７の高さは、ガイド溝４２の深さと同一か、それよりも若干高く形成されている。
【００３１】
また、ガイドプレート５１の外面に突設された操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド溝４２の後端部にガイドプレート５１の凸部５７が当接している（図４参照）。
【００３２】
また、ガイドプレート５１の後端面には、ドア５０及びガイドプレート５１を開口２０閉塞方向へ付勢する付勢部材としてのコイルばね５６を嵌挿させる所定長さ及び所定径のシャフト５４が突設されている。そして、シャフト５４の後端部には、コイルばね５６の外れを防止するための大径部５４Ａが形成されている。
【００３３】
一方、下ケース１８の袋部４９の上面には、シャフト５４の径より若干大径の円弧状に凹んで正面視略Ｕ字状をなす係止部５８が形成されており、ケース１２内にドア５０及びガイドプレート５１を組み込むとき、その係止部５８に、コイルばね５６の後端と大径部５４Ａとの間のシャフト５４を挿入させることにより、ドア５０及びガイドプレート５１がコイルばね５６の付勢力によって、開口２０の閉塞方向へ付勢されるようにしている。
【００３４】
すなわち、コイルばね５６の後端を係止部５８の前面に係止させるとともに、シャフト５４を係止部５８の上面（略Ｕ字状に凹んだ面上）で支持することにより、図３で示すように、ドア５０及びガイドプレート５１が常時開口２０の閉塞方向へ付勢された状態になるようにしている。そして、開口２０の開放時には、図４で示すように、コイルばね５６の付勢力に抗して、ドア５０及びガイドプレート５１が後方へ向かって移動させられることにより、シャフト５４が係止部５８の上面に支持された状態のまま摺動するように構成されている。
【００３５】
このような構成のドア５０は、その先端部（前端部）が傾斜壁部３０の内側に入り込んだ状態で開口２０を閉塞し、ドライブ装置側の開閉部材（図示省略）が、操作突起５２に対して、相対的に後方向（矢印Ａ方向と反対方向）へ向かう押圧力を加えることにより、ガイドプレート５１を介して、ガイド溝４２に沿って略後方へスライド移動し、その先端部（前端部）の外面がビスボス３６よりも後方側に達すると、開口２０を完全に開放する構成になっている。
【００３６】
すなわち、ドア５０は、ガイドプレート５１と円筒軸及び連結軸５３によって枢支連結され、そのガイドプレート５１に対して、連結軸５３を中心に回動自在になっているので、後半のガイド溝４２に沿って前後方向にのみスライド移動するガイドプレート５１との拡開角度θ（図３参照）を自在に変えながら、前半のガイド溝４２に凸部５５が案内されることにより、略前後方向にスライド移動することが可能になっている。したがって、ドア５０は、ケース１２の角部を切り欠いて斜めに形成された開口２０であっても、その開口２０を好適に開閉することができる。
【００３７】
なお、本実施の形態では、ドア５０とガイドプレート５１の２枚の板片からなる遮蔽部材により、開口２０を開閉できるようにしたが、遮蔽部材は複数枚の板片が互いに枢支連結されて構成されていればよい。その他、操作突起５２露出用のスリット４０によってケース１２の内外が連通されるが、このスリット４０はビスボス３６と、ドア５０及びガイドプレート５１と、内壁としての遊動規制壁２８によって、常時略閉塞された状態になるので、リール１４に巻装された磁気テープＴへの塵埃等の付着は防止される。
【００３８】
次に、本実施の形態の作用について説明する。上記構成の記録テープカートリッジ１０では、不使用時（保管時や運搬時等）には、開口２０がドア５０によって閉塞されている。具体的には、図３、図５（Ａ）で示すように、ドア５０は、コイルばね５６の付勢力によって、常時開口２０の閉塞方向へ付勢されており、その先端部（前端部）が傾斜壁部３０の内側に入り込む状態で開口２０を閉塞している。
【００３９】
一方、磁気テープＴを使用する際には、記録テープカートリッジ１０を矢印Ａ方向に沿ってドライブ装置へ装填する。この装填に伴って、ドライブ装置の開閉手段を構成する開閉部材（図示省略）が、前方へ開放しているスリット４０に進入し、ガイドプレート５１に突設されている操作突起５２に係合する。この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。
【００４０】
すると、その操作突起５２が突設されているガイドプレート５１に、連結軸５３を介して枢支連結されているドア５０は、図５（Ｂ）で示すように、凸部５５が前半のガイド溝４２によって案内されつつ、ガイドプレート５１に牽引されて後方に向かって移動する。なお、このとき、連結軸５３の上下端部と、ガイドプレート５１の凸部５７は、後半のガイド溝４２によって案内され、シャフト５４は、係止部５８に支持されつつ後方へ向かって摺動する。
【００４１】
そして、ケース１２（記録テープカートリッジ１０）がドライブ装置に所定深さ装填されると、図４、図５（Ｃ）で示すように、開口２０が完全に開放されるが、このとき、ガイドプレート５１の凸部５７がガイド溝４２の後端部に当接しており、これによって、ドア５０の後方への移動が規制される。
【００４２】
こうして開口２０が開放された状態で記録テープカートリッジ１０がドライブ装置内で位置決めされると、その開放された開口２０からドライブ装置の引出手段がケース１２内に進入し、ピン保持部２４に位置決め保持されているリーダーピン２２を抜き出して、図示しない巻取リールに収容する。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００４３】
一方、磁気テープＴがリール１４に巻き戻されて、記録テープカートリッジ１０をドライブ装置から排出する際には、記録テープカートリッジ１０は、位置決め状態が解除され、コイルばね５６の付勢力又は図示しないイジェクト機構によって矢印Ａ方向とは反対方向に移動される。そして、ドア５０及びガイドプレート５１は、連結軸５３の上下端部及び凸部５５、５７がガイド溝４２に案内されつつ、コイルばね５６の付勢力によって開口２０の閉塞方向へ移動する。これにより、開口２０が完全に閉塞され、初期状態に復帰する。
【００４４】
ここで、開口２０は、矩形状のケース１２の装填側右前角部を切り欠いて形成されているため、その開放面が矢印Ａ方向及び矢印Ｂ方向に向いている（開放面が矢印Ａ方向に対して傾斜している）。換言すれば、ドライブ装置の引出手段がケース１２の矢印Ａ方向を向く前面側からリーダーピン２２にアクセスでき、矢印Ｂ側の周壁（側壁）１６Ａ、１８Ａよりも外側（矢印Ｂ側）からアクセスする必要がない。このため、ドライブ装置では、磁気テープＴを引き出すための経路を最短とでき、また、引出手段がケース１２の矢印Ｂ側から回り込むようなドライブメカが不要となるので、小型化及び低コスト化が図れる。
【００４５】
また、磁気テープＴを引き出すための経路を最短にすると、磁気テープＴのパス経路も必然的に短くなるので、磁気テープＴとテープガイド（例えば、回転可能に支持されたローラー等）との接触摩耗を低減することができる。更に、開口２０はケース１２の角部を切り欠いて形成され、矢印Ａ方向及び矢印Ｂ方向を向き、引出手段（フック等）のリーダーピン２２へのアクセス方向の範囲が広がるため、ケース１２内におけるリーダーピン２２の設置可能位置が広がる。そして、ドア５０は、その動作軌跡がリーダーピン２２の現実的な設置可能位置とは干渉しないため、ドライブ装置の設計の自由度が向上する。
【００４６】
すなわち、ドア５０は、操作突起５２が突設されたガイドプレート５１と、連結軸５３によって枢支連結されて、互いに回動自在になっているので、平面視略「く」字状に折曲形成されたガイド溝４２に、連結軸５３の上下端部及び凸部５５、５７がガイドされつつ、リール１４及びピン保持部２４（リーダーピン２２）の外側を回り込むように移動して、開口２０を開閉することができる。
【００４７】
したがって、ドア５０の移動軌跡がケース１２内のピン保持部２４（リーダーピン２２）やリール１４と干渉することがなく、かつ、ドア５０を省スペースで構成することができるので、ケース１２内でのスペースの有効利用が図れる。そして、これにより、記録テープカートリッジ１０の小型化が図れるので、ドライブ装置内における記録テープカートリッジ１０の収容スペースを小さくすることができ、よって、ドライブ装置の小型化並びにドライブ装置内におけるスペースの有効利用が図れる。
【００４８】
また、ドア５０及びガイドプレート５１は平板状に形成されているので、平面視略円弧状に形成されたドアに比べて精度よく組み立てられる利点がある。すなわち、平面視で略円弧状に形成されたドアでは、成形時における曲率のばらつきにより、ガイド溝４２との誤差が生じやすいため、ガイド溝４２の幅は少し広くとらなければならず、そのため、ドアがガタつきやすくなるが、平板状のドア５０及びガイドプレート５１であれば、ガイド溝４２との誤差が生じにくいため、ガイド溝４２の幅を広くとる必要がない。よって、ドア５０及びガイドプレート５１がガタつくこともない。
【００４９】
更に、このドア５０は、ケース１２から引き出されるリーダーピン２２とは別部材であるため、組付状態でケース１２からの取り外し不能な構成となっている。すなわち、ドア５０は、記録テープカートリッジ１０を落下させた場合の衝撃等によってケース１２から外れることがない。一方、リーダーピン２２は、磁気テープＴの不使用時にはドア５０によって開口２０が閉塞された密閉状態のケース１２内に収納されており、キズや汚れが付き難い。このため、ドライブ装置内での磁気テープＴの引き出しや走行に影響を与えず、磁気テープＴ自体を損傷することもない。
【００５０】
また、ドライブ装置の開閉部材は、単にスリット４０に前方から進入して、ドア５０の操作突起５２に係合可能に固定配置されていれば足りるので、その構造が簡単で済む。そして、ドア５０は、コイルばね５６の付勢力によって開口２０を閉塞するため、ドライブ装置側にはドア５０を開口２０の閉塞方向へ駆動するための機構が不要であり、ドライブ装置の開閉手段（開閉部材）の構造が一層簡素化される。
【００５１】
このように、本実施の形態に係る記録テープカートリッジ１０では、磁気テープＴの引き出し経路を最短とできる構成の開口２０を、記録テープカートリッジ１０のドライブ装置での収容スペースを小型化できるドア５０がリール１４及びリーダーピン２２に干渉することなく開閉でき、かつ、ドア５０を操作して開口２０を開閉する開閉手段（開閉部材を含む）を簡単な構造とすることができる。
【００５２】
【発明の効果】
以上、本発明によれば、ケースのドライブ装置への装填側角部が切り欠かれて開口が設けられているので、その開口の開放面をドライブ装置へ向かせることができ、ドライブ装置側の引出手段をその前方側から進入させることが可能となって、記録テープを引き出す経路を最短にすることができる。したがって、ドライブ装置には記録テープを回り道させるような複雑な機構が不要となり、コンパクトで製造コストの安価なドライブ装置を設計することが可能となる。
【００５３】
また、遮蔽部材は、ヒンジで連結された複数の板片で構成されているので、開口に沿った溝とドライブ装置への装填方向に沿った溝とが繋がって折曲したガイド溝に沿ってスライドすることができる。つまり、この遮蔽部材は、ドライブ装置への装填方向に対して斜めにスライドすることができるので、角部に設けられた開口を開閉することができる。
【図面の簡単な説明】
【図１】記録テープカートリッジの概略斜視図
【図２】記録テープカートリッジの概略分解斜視図
【図３】ドアが開口を閉塞しているときの様子を示す概略説明図
【図４】ドアが開口を開放しているときの様子を示す概略説明図
【図５】ドアの開閉過程を示す概略説明図
【図６】従来のリーダーピンを備えた磁気テープカートリッジの概略斜視図
【図７】従来のリーダーテープを備えた磁気テープカートリッジの概略斜視図
【図８】従来のリーダーブロックを備えた磁気テープカートリッジの概略平面図
【符号の説明】
１０　記録テープカートリッジ
１２　ケース
１４　リール
２０　開口
２２　リーダーピン
４２　ガイド溝
５０　ドア（遮蔽部材）
５１　ガイドプレート
５２　操作突起
５３　連結軸（ヒンジ）
５４　シャフト
５５、５７　凸部
５６　コイルばね
５８　係止部
【図１】
2004039103.tif 000003
【図２】
2004039103.tif 000004
【図３】
2004039103.tif 000005
【図４】
2004039103.tif 000006
【図５】
2004039103.tif 000007
【図６】
2004039103.tif 000008
【図７】
2004039103.tif 000009
【図８】
2004039103.tif 000010